【手続補正書】
【提出日】平成15年9月11日(2003.9.11)
【手続補正１】
【補正対象書類名】明細書
【補正対象項目名】特許請求の範囲
【補正方法】変更
【補正の内容】
【特許請求の範囲】
【請求項１】
画像データ生成手段から出力されたディジタル画像データに対し、ＬＣＤモジュール内のＬＣＤに表示可能となる画像データ処理を施したのち、当該画像データを前記ＬＣＤモジュールに渡して当該ＬＣＤでの画像表示を行う画像表示処理方法であって、
前記ＬＣＤモジュール内のＬＣＤの解像度にあわせた解像度変換を前記画像データ生成部から出力されるディジタル画像データに対して行い、前記解像度変換されたディジタル画像データを記憶手段に書込み、
画像表示を行う際は、当該記憶手段に書込まれている前記ディジタル画像データを前記ＬＣＤモジュールに渡し、前記ディジタル画像データを用いて前記ＬＣＤモジュール内のＬＣＤにて画像表示を行うことを特徴とする画像表示処理方法。
【請求項２】
ＬＣＤ画面における各画素に対応する色成分配列はモザイク配列またはデルタ配列され、
前記解像度変換されたディジタル画像データを記憶手段に書込む処理は、前記ＬＣＤ画面における各画素対応の色成分配列に対応するように画像データの画素ごとに色成分を選択し、その選択された色成分の画素データを、前記ＬＣＤ画面の画素位置に対応付けて前記記憶手段の表示データ書込み領域に書込む処理であることを特徴とする請求項１記載の画像表示処理方法。
【請求項３】
前記解像度変換されたディジタル画像データが書込まれる記憶手段は、装置全体の処理を行うメインメモリ内に表示データ書込み領域として割り当てられることを特徴とする請求項１または２記載の画像表示処理方法。
【請求項４】
前記解像度変換されたディジタル画像データが書込まれる記憶手段は、装置全体の処理を行うメインメモリとは異なる表示データ書込み専用の記憶手段として用意されたことを特徴とする請求項１または２記載の画像表示処理方法。
【請求項５】
画像データ生成手段から出力されたディジタル画像データに対し、ＬＣＤモジュール内のＬＣＤに表示可能となる画像データ処理を施したのち、当該画像データを前記ＬＣＤモジュールに渡して当該ＬＣＤでの画像表示を行う画像表示処理装置であって、
ディジタル画像データの入力を可能とするＬＣＤモジュールと、
当該ＬＣＤモジュール内のＬＣＤの解像度にあわせた解像度変換を前記画像データ生成部から出力されるディジタル画像データに対して行い、前記解像度変換されたディジタル画像データを記憶手段に書込み、画像表示を行う際は、当該記憶手段に書込まれている前記ディジタル画像データを前記ＬＣＤモジュールに渡す画像データ処理部と、
を有することを特徴とする画像表示処理装置。
【請求項６】
ＬＣＤ画面における各画素に対応する色成分配列はモザイク配列またはデルタ配列からなり、
前記解像度変換されたディジタル画像データを記憶手段に書込む処理は、前記ＬＣＤ画面における各画素対応の色成分配列に対応するように画像データの画素ごとに色成分を選択し、その選択された色成分の画素データを、前記ＬＣＤ画面上の画素位置に対応付けて前記記憶手段の表示データ書込み領域に書込む処理であることを特徴とする請求項５記載の画像表示処理装置。
【請求項７】
前記解像度変換されたディジタル画像データが書込まれる記憶手段は、装置全体の処理を行うメインメモリ内に表示データ書込み領域として割り当てられてなることを特徴とする請求項５または６記載の画像表示処理装置。
【請求項８】
前記解像度変換されたディジタル画像データが書込まれる記憶手段は、装置全体の処理を行うメインメモリとは異なる表示データ書込み専用の記憶手段からなることを特徴とする請求項５または６記載の画像表示処理装置。
【請求項９】
画像データをディスプレイに表示してなる画像表示処理装置であって、
前記画像データを出力してなる画像データ生成部と、
当該画像データ生成部から出力された前記画像データを取り込むとともに当該画像データを変換処理してから出力する画像データ処理部と、
前記ディスプレイを含み前記変換処理された画像データを取り込むとともに当該変換処理された画像データの表示が前記ディスプレイにて行われてなる表示用モジュール部とを有し、
前記表示用モジュール部にて取り込まれる前記変換処理された画像データは、ディジタル画像データからなることを特徴とする画像表示処理装置。
【請求項１０】
前記画像データ処理部は、前記画像データ生成部から出力された前記画像データに対して解像度変換を行う解像度変換部と、前記解像度変換の行われた画像データを記憶する記憶部とを含んでなることを特徴とする請求項9記載の画像表示処理装置。
【手続補正２】
【補正対象書類名】明細書
【補正対象項目名】０００２
【補正方法】変更
【補正の内容】
【０００２】
【従来の技術】
最近、ディジタルカメラやディジタルビデオカメラなど画像をディジタル信号として取り扱う情報処理機機が広く用いられてきている。これらの機器は、一般にＣＣＤモジュールによって得られたディジタル画像データをメモリに蓄えたのち、画像表示を行うに必要な様々な処理を行ったのち、テレビジョン（ＴＶ）信号の規格に合った信号とされて、カラーディスプレイであるカラー液晶ディスプレイ（以下、単にＬＣＤ（Liquid Crystal Display）という）を有するＬＣＤモジュールに入力するようになっている。


【手続補正３】
【補正対象書類名】明細書
【補正対象項目名】００１６
【補正方法】変更
【補正の内容】
【００１６】
【課題を解決するための手段】
前述の目的を達成するために、本発明の画像表示処理方法は、画像データ生成手段から出力されたディジタル画像データに対し、ＬＣＤモジュール内のＬＣＤに表示可能となる画像データ処理を施したのち、当該画像データを前記ＬＣＤモジュールに渡して当該ＬＣＤでの画像表示を行う画像表示処理方法であって、
前記ＬＣＤモジュール内のＬＣＤの解像度にあわせた解像度変換を前記画像データ生成部から出力されるディジタル画像データに対して行い、前記解像度変換されたディジタル画像データを記憶手段に書込み、
画像表示を行う際は、当該記憶手段に書込まれている前記ディジタル画像データを前記ＬＣＤモジュールに渡し、前記ディジタル画像データを用いて前記ＬＣＤモジュール内のＬＣＤにて画像表示を行うことを特徴とする。


【手続補正４】
【補正対象書類名】明細書
【補正対象項目名】００１７
【補正方法】変更
【補正の内容】
【００１７】
また、本発明の画像表示処理装置は、画像データ生成手段から出力されたディジタル画像データに対し、ＬＣＤモジュール内のＬＣＤに表示可能となる画像データ処理を施したのち、当該画像データを前記ＬＣＤモジュールに渡して当該ＬＣＤでの画像表示を行う画像表示処理装置であって、
ディジタル画像データの入力を可能とするＬＣＤモジュールと、
当該ＬＣＤモジュール内のＬＣＤの解像度にあわせた解像度変換を前記画像データ生成部から出力されるディジタル画像データに対して行い、前記解像度変換されたディジタル画像データを記憶手段に書込み、画像表示を行う際は、当該記憶手段に書込まれている前記ディジタル画像データを前記ＬＣＤモジュールに渡す画像データ処理部と、
を有することを特徴とする。


【手続補正５】
【補正対象書類名】明細書
【補正対象項目名】００２５
【補正方法】変更
【補正の内容】
【００２５】
また、前記解像度変換されたディジタル画像データが書込まれる記憶手段（ＶＲＡＭ）は、装置全体の処理を行うに必要なメインメモリとは別個に表示データ書き込み専用の記憶手段として用意することも可能であり、この場合、それぞれ別個にメモリが必要となるが、メインメモリはＶＲＡＭと独立しているため、ＣＰＵがメインメモリに対してアクセスし易くなり、ＣＰＵが行う処理の自由度を高めることができ、また、請求項１または２に記載した発明を適用することによって、ＶＲＡＭを小型化することができ、ＶＲＡＭと他の部品とをワンチップ化するといったことも可能となる。
また、本発明の画像表示処理装置は、画像データをディスプレイに表示してなる画像表示処理装置であって、前記画像データを出力してなる画像データ生成部と、当該画像データ生成部から出力された前記画像データを取り込むとともに当該画像データを変換処理してから出力する画像データ処理部と、前記ディスプレイを含み前記変換処理された画像データを取り込むとともに当該変換処理された画像データの表示が前記ディスプレイにて行われてなる表示用モジュール部とを有し、前記表示用モジュール部にて取り込まれる前記変換処理された画像データは、ディジタル画像データからなることを特徴とする。そして、この場合更に、前記画像データ処理部は、前記画像データ生成部から出力された前記画像データに対して解像度変換を行う解像度変換部と、前記解像度変換の行われた画像データを記憶する記憶部とを含んでいてもよい。